(57)【要約】【課題】ウエール方向およびコース方向の双方に伸び難い組織を備える編地の編成方法を提供する。【解決手段】編幅方向の所定範囲を伸び抑制領域１００としたとき、割増やし編成とミス編成とを含む基本編成Ｂ１，Ｂ２，Ｂ３をｎ回（但し、ｎは１以上の自然数）の折り返しによりｎ＋１回行い、伸び抑制領域１００の一編目列を編成する工程αと、割増やし編成で選択された起点編目１〜６と、起点編目１〜６から引き出された新規編目１１〜１６とを重ね合わせて重ね目１；１１〜６；１６を形成する工程βと、重ね目１；１１〜６；１６を含む伸び抑制領域１００の編目に対して新たな編目２１〜２６を編成する工程γとを備える。工程αでは、ｎ＋１回目の基本編成における割増やし編成は、ｎ回目以前の全ての基本編成でミス編成を行った編目の少なくとも一つに対して行う。【選択図】図１
2016060990.tif 000002
【特許請求の範囲】
【請求項１】
少なくとも前後一対の針床を備え、前後の針床間で編目の目移しが可能な横編機を用いた編地の編成方法において、
編幅方向の所定範囲を伸び抑制領域としたとき、
割増やし編成とミス編成とを含む基本編成をｎ回（但し、ｎは１以上の自然数）の折り返しによりｎ＋１回行い、前記伸び抑制領域の一編目列を編成する工程αと、
前記割増やし編成で選択された起点編目と、前記起点編目から引き出された新規編目とを重ね合わせて重ね目を形成する工程βと、
前記重ね目を含む前記伸び抑制領域の編目に対して新たな編目を編成する工程γとを備え、
前記工程αでは、ｎ＋１回目の基本編成における割増やし編成は、ｎ回目以前の全ての基本編成でミス編成を行った編目の少なくとも一つに対して行う編地の編成方法。
【請求項２】
前記工程βは、前記工程αの後に行う請求項１に記載の編地の編成方法。
【請求項３】
前記基本編成は、一目の割増やし編成と二目のミス編成とで構成される基本単位を複数回繰り返す編成であり、
前記工程αでは、前記基本編成を２回の折り返しにより３回行い、前記伸び抑制領域の一編目列を編成するにあたり、ｎ＋１回目の基本編成における割増やし編成は、ｎ回目以前の全ての基本編成でミス編成を行った基本単位における編目のいずれかに対して行う請求項１または請求項２に記載の編地の編成方法。
【発明の詳細な説明】
【技術分野】
【０００１】
本発明は、ウエール方向およびコース方向の双方に伸び難い組織を備える編地の編成方法に関する。
【背景技術】
【０００２】
スポーツ用のインナーウエアやサポーター、医療用のサポーターなどの伸縮性が要求される編地は、弾性編糸を使用して編成されることがある。上記サポーターなどは、腕や脚部などの間接部分の可動域は着圧を低くするとともに、それ以外の筋肉部分や患部などの所望箇所は締め付ける（伸びを抑制する）必要がある。例えば、特許文献１には、弾性糸を含有し、編地中に伸度の異なる低伸度部と高伸度部とを有する丸編地において、低伸度部は、熱融着糸を含有すること、さらにミスループを有する編成組織とすることで伸びを抑制することが記載されている。また、特許文献２には、複数の大きさの度目が形成された丸編地において、周辺よりも緊締力が強い緊締部は、編目の大きさを他の編目よりも小さくすることで伸びを抑制することが記載されている。
【先行技術文献】
【特許文献】
【０００３】
【特許文献１】特開２０１２−０１２７３３号公報
【特許文献２】特開２０１３−１６７０３８号公報
【発明の概要】
【発明が解決しようとする課題】
【０００４】
しかし、特許文献１，２の技術では、編地のウエール方向およびコース方向の双方の伸びを抑制するには不十分である。特許文献１は、ミスループを有することでニットループに比較してコース方向の伸びを抑制することはできるが、更に伸びを抑制することが望まれている。特許文献１は、熱融着糸を用いることで伸びを抑制できるが、弾性糸を用いた場合ではミスループにおいても伸びるためである。特許文献２は、編目の大きさを変化させることでその周辺に比較して伸びを抑制することはできるが、編目同士が繋がっているため、周辺の編目に引っ張られると伸び易く、伸びの抑制には不十分である。
【０００５】
本発明は上記事情に鑑みてなされたもので、本発明の目的の一つは、ウエール方向およびコース方向の双方に伸び難い組織を備える編地の編成方法を提供することにある。
【課題を解決するための手段】
【０００６】
本発明の編地の編成方法は、少なくとも前後一対の針床を備え、前後の針床間で編目の目移しが可能な横編機を用いた編地の編成方法において、編幅方向の所定範囲を伸び抑制領域としたとき、以下の工程α〜工程γを備える。
［工程α］…割増やし編成とミス編成とを含む基本編成をｎ回（但し、ｎは１以上の自然数）の折り返しによりｎ＋１回行い、前記伸び抑制領域の一編目列を編成する。このとき、ｎ＋１回目の基本編成における割増やし編成は、ｎ回目以前の全ての基本編成でミス編成を行った編目の少なくとも一つに対して行う。
［工程β］…前記割増やし編成で選択された起点編目と、前記起点編目から引き出された新規編目とを重ね合わせて重ね目を形成する。
［工程γ］…前記重ね目を含む前記伸び抑制領域の編目に対して新たな編目を編成する。
【０００７】
ここで、一編目列を編成するとは、同じコースにおいて、ｎ回の折り返し編成（但し、ｎは１以上の自然数）を行うことで、一編成コースを完了することである。割増やし編成とは、一方の針床に係止される編目から選択された起点編目を他方の針床に目移しすると共に、その起点編目から引き出される新規編目を一方の針床に形成する公知の編成動作である（特許第２６０４６５３号公報などを参照）。
【０００８】
本発明の編地の編成方法の一形態として、前記工程βは、前記工程αの後に行うことが挙げられる。
【０００９】
本発明の編地の編成方法の一形態として、前記基本編成は、一目の割増やし編成と二目のミス編成とで構成される基本単位を複数回繰り返す編成であることが挙げられる。このとき、前記工程αでは、前記基本編成を２回の折り返しにより３回行い、前記伸び抑制領域の一編目列を編成するにあたり、ｎ＋１回目の基本編成における割増やし編成は、ｎ回目以前の全ての基本編成でミス編成を行った基本単位における編目のいずれかに対して行う。
【発明の効果】
【００１０】
本発明の編地の編成方法によれば、割増やし編成とミス編成とを含む基本編成を複数回繰り返すことで、ウエール方向およびコース方向の双方の伸びを抑制できる。まず、割増やし編成で選択された起点編目と新規編目とを重ね合わせることで、起点編目および新規編目の編糸同士に摩擦力が生じ、この摩擦力によってウエール方向およびコース方向の双方の伸びを抑制できる。特に、割増やし編成で選択された起点編目と新規編目とを重ね合わせるため、起点編目と新規編目の各シンカーループが互いに引っ掛かるため、この引っ掛かり部分における摩擦力によって、さらに伸びを抑制できる。また、重ね目に続く新たな編目で起点編目と新規編目とを一体に繋ぐことで、二目の編目で新たな編目を支持するため、一目の編目で新たな編目を支持するよりも、ウエール方向の伸びを抑制できる。次に、ミス編成を行うことで、ミス編成によって形成される渡り糸が、基本編成の繰り返しにより複数本並列することになる。そのため、複数本の渡り糸同士が擦れ合うことで渡り糸同士に摩擦力が生じ、この摩擦力によってコース方向の伸びを抑制できる。また、ミス編成によって、ニット編成に比較して編地の編幅方向の単位長さ当たりの糸の絶対量を低減できることでも、コース方向の伸びを抑制することができる。以上より、本発明の編地の編成によれば、割増やし編成で選択された起点編目および新規編目の編糸同士の摩擦力、渡り糸同士の摩擦力、および編目の編糸と渡り糸との摩擦力といった編糸同士の摩擦力が発生する場面が多い。よって、各摩擦力によって抵抗力が大きいため、ウエール方向およびコース方向の双方に伸び難い組織を備える編地を編成することができる。
【００１１】
工程αの後に工程βを行うことで、工程αにおける割増やし編成で選択された起点編目と新規編目とでミス編成による渡り糸を挟むことができる。起点編目と新規編目とで渡り糸を挟むことで、渡り糸と各編目との摩擦力がさらに大きくなるため、より伸びを抑制することができる。また、渡り糸は、基本編成の回数により、割増やしで選択された起点編目および新規編目に挟まれる本数が変わるため、この渡り糸の本数の違いによって、編地に凹凸ができ様々なリブ状の組織表現ができる。このリブ状の組織表現については後述する。
【００１２】
渡り糸は、長過ぎると収縮力が働きやすく、編地に皺などを発生させて編地の見栄えに影響を及ぼす虞がある。そこで、基本編成を、一目の割増やし編成と二目のミス編成とで構成される基本単位を複数回繰り返す編成とすることで、渡り糸の長さを適度にでき、編地の見栄えを向上できる。
【図面の簡単な説明】
【００１３】
【図１】実施形態１に係る編地の編成方法を示す編成工程図である。
【図２】実施形態１に係る編地の編成方法によって編成された編地のループ図である。
【図３】実施形態１に係る編地の編成方法によって編成されたテーピング効果のあるサポートパンツを示し、左図はその前方、右図はその後方の模式図である。
【発明を実施するための形態】
【００１４】
以下、弾性糸を用いて編地を編成する際、編地の伸びを抑制したい領域に本発明の編地の編成方法を適用した例を説明する。
【００１５】
＜実施形態１＞
本発明の編地の編成方法の実施形態を図面に基づいて説明する。図中の同一符号は、同一名称物を示す。実施形態では、左右方向に延び、かつ前後方向に互いに対向する一対の針床を備え、前後の針床間で編目の目移しが可能であると共に、少なくとも一方の針床がラッキング可能な２枚ベッド横編機を用いた編成例を説明する。この横編機に備わる編針は、編針の側面に目移し用の羽根を備えず、フックを有する針本体とフックを開閉する２枚のブレードを有するスライダーとを備え、２枚のブレードの間で編目の受け渡しをすることができる複合針である。なお、使用する横編機は、４枚ベッド横編機であってもよい。
【００１６】
図１は、実施形態１に係る編地の編成方法を示す編成工程図である。図１の左欄の『Ｓ＋数字』は編成工程の番号を、右欄は各編成工程における針床の編成状態を示す。右欄において、ＦＢは前針床を、ＢＢは後針床を示し、Ａ〜Ｊの黒点は編針、黒丸はその編成工程で編成された編目、白丸は編針に係止される旧編目、二重丸は重ね目、逆三角形は給糸口を示す。なお、説明の便宜上、使用する針数は実際の編成よりも少なくしている。以下では、給糸口８から給糸される弾性糸で編成された平面状の編地を例に説明する。
【００１７】
Ｓ１には、ＦＢの編針Ａ〜Ｊを用いて平面状のベース編地部を編成した状態が示されている。Ｓ１は、編幅方向の左方（紙面左方）に給糸口８を移動させた状態である。このＳ１の状態からＳ２以降の編成を行うことで、ベース編地部の編幅方向の所定範囲に、ベース編地部に比較して伸びが抑制された伸び抑制領域１００を編成していく。ここでは、ＦＢの編針Ｃ〜Ｈに係止された編目による領域を伸び抑制領域１００とし、この伸び抑制領域１００に対して本実施形態の編成を行う。本実施形態では、一目の割増やし編成と二目のミス編成とで構成される基本単位を針床の長手方向に２回行う編成を基本編成とし、伸び抑制領域１００内で給糸口を２回折り返す中で基本編成を３回行い、伸び抑制領域１００の一編目列を編成する。図１では、編針Ｃ，Ｄ，Ｅに係止された編目に対する編成および編針Ｆ，Ｇ，Ｈに係止された編目に対する編成の各々を基本単位とする。つまり、伸び抑制領域１００における編針Ｃ〜Ｈに係止された編目に対する給糸口８の１回の右行または左行に伴う編成が基本編成である。
【００１８】
Ｓ２では、編幅方向の右方に給糸口８を移動させ、ＦＢの編針Ａ，Ｂにニット編成を行い、伸び抑制領域１００において１回目の基本編成Ｂ１を行う。１回目の基本編成Ｂ１は、ＦＢの編針Ｃ，Ｄ，Ｆ，Ｇに係止された編目１，２，４，５に対してミス編成を行い、ＦＢの編針Ｅ，Ｈに係止された編目３，６に対して割増やし編成を行う。割増やし編成によって、ＦＢの編針Ｅに係止された編目３および編針Ｈに係止された編目６は、起点編目としてそれぞれＢＢの編針Ｅ，Ｈに目移しされると共に、ＦＢの編針Ｅ，Ｈに編目（新規編目）１３，１６が形成される。新規編目１３，１６はそれぞれ、起点編目３，６からＢＢの長手方向と直交する方向に真っ直ぐに引き出される。それは、目移し用の羽根を持たない複合針は、前後の針床でフック同士が正対するからである。
【００１９】
Ｓ３では、編幅方向の左方に給糸口８を折り返して移動させ（１回目の折り返し）、伸び抑制領域１００において２回目の基本編成Ｂ２を行う。２回目の基本編成Ｂ２は、ＦＢの編針Ｈ，Ｆ，Ｅ，Ｃに係止された編目１６，４，１３，１に対してミス編成を行い、ＦＢの編針Ｇ，Ｄに係止された編目５，２に対して割増やし編成を行う。割増やし編成は、１回目の基本編成Ｂ１でミス編成を行った編目に対して、各基本単位からそれぞれ一目選択して行う。割増やし編成によって、ＦＢの編針Ｇに係止された編目５および編針Ｄに係止された編目２は、起点編目としてそれぞれＢＢの編針Ｇ，Ｄに目移しされると共に、ＦＢの編針Ｇ，Ｄに編目（新規編目）１５，１２が形成される。
【００２０】
Ｓ４では、編幅方向の右方に給糸口８を折り返して移動させ（２回目の折り返し）、伸び抑制領域１００において３回目の基本編成Ｂ３を行い、さらにＦＢの編針Ｉ，Ｊにニット編成を行う。３回目の基本編成Ｂ３は、ＦＢの編針Ｄ，Ｅ，Ｇ，Ｈに係止された編目１２，１３，１５，１６に対してミス編成を行い、ＦＢの編針Ｃ，Ｆに係止された編目１，４に対して割増やし編成を行う。割増やし編成は、１回目の基本編成Ｂ１および２回目の基本編成Ｂ２の双方でミス編成を行った編目に対して、各基本単位からそれぞれ一目選択して行う。割増やし編成によって、ＦＢの編針Ｃに係止された編目１および編針Ｆに係止された編目４は、起点編目としてそれぞれＢＢの編針Ｃ，Ｆに目移しされると共に、ＦＢの編針Ｃ，Ｆに編目（新規編目）１１，１４が形成される。以上説明したＳ２〜Ｓ４によって、Ｓ１においてＦＢの編針Ｃ〜Ｈに係止された編目１〜６の全てに対して割増やし編成が行われたことになる。Ｓ２〜Ｓ４が工程αに相当する。
【００２１】
Ｓ５では、Ｓ２〜Ｓ４の割増やし編成によってＢＢに目移しされた起点編目１〜６を、各起点編目１〜６に相対する新規編目１１〜１６に重ね合わせて重ね目１；１１〜６；１６を形成する（工程βに相当）。各重ね目１；１１〜６；１６は、ＦＢの編針Ｃ〜Ｈに係止される。重ね目の形成は、ＦＢに形成された新規編目１１〜１６を、各新規編目１１〜１６に相対する起点編目１〜６に重ね合わせてもよい。この場合、各重ね目１；１１〜６；１６は、ＢＢの編針Ｃ〜Ｈに係止される。
【００２２】
Ｓ６では、編幅方向の左方に給糸口８を移動させ、ＦＢの編針Ｊ〜Ａにニット編成を行う。つまり、重ね目１；１１〜６；１６に対して新たな編目（止め編目）２１〜２６を編成する（工程γに相当）。そうすることで、起点編目１〜６と新規編目１１〜１６とがそれぞれ重ね合わさった状態を固定することができる。
【００２３】
その後は、編地の伸びを抑制したい領域が所望の大きさとなるまで、Ｓ２〜Ｓ６を繰り返し行えばよい。
【００２４】
以上説明した編成方法によって得られた編地は、図２に示すように、伸び抑制領域１００において、起点編目１〜６と新規編目１１〜１６とが重ね合わされ、各重ね目１；１１〜６；１６はそのウエール方向に連続して編成された止め編目２１〜２６によって固定されている。また、上記編地は、伸び抑制領域１００内で給糸口を２回折り返すことで基本編成を３回行って編成されているが、各基本編成はウエール方向には編目が伸びずに同じコースを編成することになるため、３回の基本編成で伸び抑制領域１００の一編目列が編成されている。図２では、伸び抑制領域１００における基本編成について、１回目の基本編成Ｂ１による編糸を太線（図１のＳ２に相当）、２回目の基本編成Ｂ２による編糸を二点鎖線（図１のＳ３に相当）、３回目の基本編成Ｂ３による編糸を中線（図１のＳ４に相当）で示す。また図２の下側のＣ〜Ｈは、図１に示す編針に対応する。
【００２５】
本実施形態では、工程αの後に工程βを行うため、ｎ＋１回目の基本編成Ｂ（ｎ＋１）におけるミス編成によって形成された渡り糸Ｍ（ｎ＋１）は、ｎ回目以前の基本編成Ｂｎにおける割増やし編成で選択された起点編目と新規編目との間に挟まれる。具体的には、２回目の基本編成Ｂ２におけるミス編成によって形成された渡り糸Ｍ２は、１回目の基本編成Ｂ１における割増やし編成で選択された起点編目３と新規編目１３との間および起点編目６と新規編目１６との間に挟まれる。同様に、３回目の基本編成Ｂ３におけるミス編成によって形成された渡り糸Ｍ３は、１回目の基本編成Ｂ１における割増やし編成で選択された起点編目３と新規編目１３との間および起点編目６と新規編目１６との間、２回目の基本編成Ｂ２における割増やし編成で選択された起点編目２と新規編目１２との間および起点編目５と新規編目１５との間に挟まれる。１回目の基本編成Ｂ１におけるミス編成によって形成された渡り糸Ｍ１は、どの編目にも挟まれることはない。
【００２６】
つまり、起点編目１と新規編目１１との間および起点編目４と新規編目１４との間に挟まれる渡り糸は０本であり、起点編目２と新規編目１２との間および起点編目５と新規編目１５との間に挟まれる渡り糸は１本であり、起点編目３と新規編目１３との間および起点編目６と新規編目１６との間に挟まれる渡り糸は２本である。このように、起点編目と新規編目との間に挟まれる渡り糸の本数の違いによって、編地に凹凸が形成され、リブ状の組織表現ができる。
【００２７】
上記編地は、伸びを抑制したい所望の領域（編幅方向において伸び抑制領域１００）にウエール方向およびコース方向の双方に伸び難い組織を備えることができる。その理由は、起点編目１〜６および新規編目１１〜１６の編糸同士の摩擦力、渡り糸Ｍ１〜Ｍ３同士の摩擦力、および起点編目と新規編目との間に渡り糸が挟まれることによる各編目の編糸とその渡り糸との摩擦力といった編糸同士の種々の摩擦力が生じるためである。
【００２８】
また、本実施形態では、図２に示すように、伸び抑制領域１００における編目列の段数は、それ以外の編地領域の編目列の段数よりも少ない。この編目列の段数の差によっても、伸びを抑制することができる。
【００２９】
なお、弾性糸ではない編糸を用いて編地を編成した場合でも、ニットの特性上、編地に伸びが生じる場合がある。本実施形態の編地の編成方法によれば、弾性糸ではない編糸を使用する場合においても、ウエール方向およびコース方向の双方に伸び難い組織を備える編地を編成することができる。
【００３０】
上述した編成方法では、一目の割増やし編成と二目のミス編成とで構成される基本単位を針床の長手方向に２回行う編成を基本編成とする例を説明したが、基本編成の構成は問わない。基本単位として割増やし編成とミス編成とをそれぞれ少なくとも一目ずつ備えていれば、割増やし編成の目数やミス編成の目数は問わない。また、割増やし編成とミス編成は、工程αの条件を満たせばよく、各編成の並び順や編成順序なども問わない。但し、ミス編成が連続する場合（特に弾性糸を用いる場合）、ミス編成によって形成される渡り糸が長くなり過ぎることで渡り糸に収縮力が働きやすくなり、編地の見栄えに影響を及ぼす虞がある。そのため、連続するミス編成は八目以下とすることが好ましい。また、割増やし編成は連続して行うこともできる（下記パターン１，２）。さらに、伸び抑制領域の全ての編目に対して割増やし編成を行うのではなく、割増やし編成の一部をミス編成に変えることもできるし、（下記パターン３）、割増やし編成の一部をニット編成に変えることもできる（下記パターン４）。しかし、ニット編成を行うと、ミス編成に比較して編糸の絶対量が増え、かつ重ね目による伸び抑制もできないため、基本単位に一目程度とすることが好ましい。
【００３１】
例えば、割増やし編成を行う編目を『□』、ミス編成を行う編目を『−』、ニット編成を行う編目を『●』とすると、以下に例示するパターンを挙げることができる。
［パターン１］
１回目の基本編成：−−−−□□−−−−□□−−−−□□
２回目の基本編成：−−□□−−−−□□−−−−□□−−
３回目の基本編成：□□−−−−□□−−−−□□−−−−
［パターン２］
１回目の基本編成：−−−−−−□□□−−−−−−□□□
２回目の基本編成：−−−□□□−−−−−−□□□−−−
３回目の基本編成：□□□−−−−−−□□□−−−−−−
［パターン３］
１回目の基本編成：−−−−−−□−□−−−−−−□−□
２回目の基本編成：−−−□−□−−−−−−□−□−−−
３回目の基本編成：□−□−−−−−−□−□−−−−−−
［パターン４］
１回目の基本編成：−−−−−−□●□−−−−−−□●□
２回目の基本編成：−−−□●□−−−−−−□●□−−−
３回目の基本編成：□●□−−−−−−□●□−−−−−−
【００３２】
上述した編成方法では、平面状の編地において、編幅方向の所定範囲として一部領域を伸び抑制領域とする例を説明したが、編幅方向の全領域を伸び抑制領域とすることもできる。つまり、伸びを抑制したい箇所に上述した編成方法を行えばよい。また、平面状の編地以外にも、筒状の編地でも編成できる。筒状編地を連続的に編成する場合には、例えば、前後針床の一方の針床で本実施形態の編成方法を適用した一側編地部の１コース分を編成し、その後に他方の針床で本実施形態の編成方法を適用した他側編地部の１コース分を編成することが挙げられる。前後針床で順次一側編地部と他側編地部とを編成することで、一側編地部と他側編地部とは両端部で繋がっているため、筒状編地となる。このとき、筒状編地の編幅方向の所望の位置に本実施形態の編成方法を適用すればよい。
【００３３】
図３は、上述した編成方法によって編成されたテーピング効果のあるサポートパンツを示す。左図はそのサポートパンツの前方、右図はその後方の模式図である。針床の長手方向に並ぶ基本単位の増減により、図３に示すように、曲線状の伸び抑制領域１００（ハッチング部分）も形成することができる。また、所望の伸び抑制領域に応じて、基本単位の途中で折り返す基本編成も実施できる。つまり、図３に示すように、膝関節や脹脛などのサポートしたい領域（ハッチング部分）に本実施形態の編成方法を適用すればよい。筒状編地に伸び抑制領域を配置するにあたり、周回編成を行う際は、サポートパンツの前方の領域を編成した後、サポートパンツの後方の領域を編成すればよい。
【００３４】
＜実施形態２＞
実施形態２では、工程αにおいて基本編成を行う度に工程βを行う例を説明する。実施形態２においても、図１の編成工程図を参照しながら説明する。まず、１回目の基本編成Ｂ１を行う（図１のＳ２）。この１回目の基本編成Ｂ１における割増やし編成で選択された起点編目３と新規編目１３、および起点編目６と新規編目１６のそれぞれを重ね合わせる（工程β）。次に、２回目の基本編成Ｂ２を行う（図１のＳ３）。この２回目の基本編成Ｂ２における割増やし編成で選択された起点編目２と新規編目１２、および起点編目５と新規編目１５のそれぞれを重ね合わせる（工程β）。そして、３回目の基本編成Ｂ３を行う（図１のＳ４）。この３回目の基本編成Ｂ３における割増やし編成で選択された起点編目１と新規編目１１、および起点編目４と新規編目１４のそれぞれを重ね合わせる（工程β）。最後に、重ね目１；１１〜６；１６に対して新たな編目（止め編目）２１〜２６を編成する（図１のＳ６）。
【００３５】
実施形態２では、基本編成を行う度に、各基本編成における割増やし編成で選択された起点編目と新規編目とを重ね合わせるため、起点編目と新規編目との間に渡り糸は挟まれない。しかし、実施形態２の編成方法によっても、起点編目１〜６および新規編目１１〜１６の編糸同士の摩擦力、および渡り糸Ｍ１〜Ｍ３同士の摩擦力が生じるため、ウエール方向およびコース方向の双方に伸び難い組織を備える編地を編成することができる。なお、編地内に実施形態１の編成と実施形態２の編成とを混在させてもよく、伸び抑制領域１００の同一編目列内に混在させてもよい。
【００３６】
＜実施形態３＞
実施形態１，２では、目移し用の羽根を有さない複合針（例えば、特許第５０３２８２２号公報などを参照）を備える横編機を用いた場合の編成方法を説明した。これに対して、目移し用の羽根を有する複合針を備える横編機を用いて実施形態１，２で説明した編成を行うことができる。目移し用の羽根を有する複合針は、その一方の側面に目移し用の羽根を備えたべら針（例えば、特許第５０３２８２２号公報などを参照）や、複合針（例えば、特開平５−７８９６２号公報などを参照）で、その羽根を介して対向する針床間で編目の目移しを行う構造を備える。そのため、対向する針床の編針のフック同士は針床の長手方向に若干ずれている。このずれによって、目移し用の羽根を有する複合針を備える横編機を用いて割増やし編成を行った場合、起点編目の一方の根元に新規編目の両シンカーループが巻き付く。よって、起点編目と新規編目とが絡んだ状態となるため、起点編目および新規編目の編糸同士の摩擦をさらに高めることができ、伸びを抑制する効果を向上することができる。
【符号の説明】
【００３７】
１００  伸び抑制領域
１〜６  編目（起点編目）
１１〜１６  編目（新規編目）
１；１１〜６；１６  重ね目
２１〜２６  編目（止め編目）
Ｂ１，Ｂ２，Ｂ３  基本編成
Ｍ１，Ｍ２，Ｍ３  渡り糸
８  給糸口
【図１】
2016060990.tif 000003
【図２】
2016060990.tif 000004
【図３】
2016060990.tif 000005